(57)【要約】【課題】体臭抑制成分が身体に合わない人が体臭抑制成分を含む水でシャワーを浴びてしまうことを効果的に防止することができると共に、体臭抑制成分の消費量を抑制することができるシャワーヘッド及びシャワー装置を提供する。【解決手段】給水管に接続して使用するシャワーヘッドは、水が通過することで水中に体臭抑制成分を一定量含有させるための体臭抑制成分含有部と、シャワー吐出部と、シャワー吐出部から吐水する水を、体臭抑制成分含有部を通過した水と体臭抑制成分含有部を通過していない水とに切り替えるための成分有無切替部とを有する。シャワー装置は、体臭抑制成分含有部を備え、シャワーヘッドは、シャワー吐出部と、成分有無切替部とを有し、体臭抑制成分含有部がシャワーヘッドとは別体とされている。【選択図】図１Ａ
2019146941.tif 000002
【特許請求の範囲】
【請求項１】
給水管に接続して使用するシャワーヘッドであって、
水が通過することで水中に体臭抑制成分を一定量含有させるための体臭抑制成分含有部と、
シャワー吐出部と、
前記シャワー吐出部から吐水する水を、前記体臭抑制成分含有部を通過した水と前記体臭抑制成分含有部を通過していない水とに切り替えるための成分有無切替部と
を有することを特徴とするシャワーヘッド。
【請求項２】
前記体臭抑制成分が生薬抽出物からなることを特徴とする請求項１に記載のシャワーヘッド。
【請求項３】
前記シャワー吐出部が前記体臭抑制成分含有部の有無により分かれていることを特徴とする請求項１または請求項２に記載のシャワーヘッド。
【請求項４】
給水管に接続して使用するシャワーヘッドを備えたシャワー装置であって、
水が通過することで水中に体臭抑制成分を一定量含有させるための体臭抑制成分含有部を備え、
前記シャワーヘッドは、
シャワー吐出部と、
前記シャワー吐出部から吐水する水を、前記体臭抑制成分含有部を通過した水と前記体臭抑制成分含有部を通過していない水とに切り替えるための成分有無切替部と
を有し、前記体臭抑制成分含有部が前記シャワーヘッドとは別体とされていることを特徴とするシャワー装置。
【発明の詳細な説明】
【技術分野】
【０００１】
本開示は、シャワーヘッド及びシャワー装置に関する。
【背景技術】
【０００２】
体臭抑制成分を含む体臭抑制用組成物は、従来から多くのものが知られている。例えば、特許文献１には、体臭の主な発生要因である不飽和アルデヒドの発生を、抗酸化剤を含む体臭抑制用組成物（特に加齢臭抑制用組成物）を用いることにより抑制して、一般的な体臭はもとより、加齢臭の発生を抑制し得ることが開示されている。これらの体臭抑制用組成物をシャワー機器に活用することが考えられるが、次のような課題がある。
【先行技術文献】
【特許文献】
【０００３】
【特許文献１】特開平１１−２８６４２３号公報
【発明の概要】
【発明が解決しようとする課題】
【０００４】
すなわち、体臭抑制成分が身体に合わない人がいる可能性がある。複数人が共用で使用することが多いシャワー機器において体臭抑制用組成物を活用する場合には、体臭抑制成分が身体に合わない人が体臭抑制成分を含む水でシャワーを浴びてしまう可能性があるという課題がある。また、シャワー機器に体臭抑制用組成物を常に用いると、必要以上に体臭抑制成分を消費することになり、コストが非常にかかるという課題もある。
【０００５】
そこで、本開示は、体臭抑制成分が身体に合わない人が体臭抑制成分を含む水でシャワーを浴びてしまうことを効果的に防止することができると共に、体臭抑制成分の消費量を抑制することができるシャワーヘッド及びシャワー装置を提供することを目的とする。
【課題を解決するための手段】
【０００６】
前述したように、本発明者は、体臭抑制という効果を得るために体臭抑制成分をシャワーヘッド及びシャワー装置に活用した場合、複数人が共有して利用することが多いシャワーヘッドにおいては、利用者の中には体臭抑制成分が身体に合わない人が体臭抑制成分を含む水でシャワーを浴びてしまう可能性があるという新たな課題を発見した。本発明者は、その課題を解決するために鋭意研鑽した結果、体臭抑制成分を含む体臭抑制効果を有する水と体臭抑制成分を含まない通常の水とを切り替えて使用可能なシャワーヘッドとすることを見出した。こうすることで、コストをかけて複数のシャワーヘッドを購入せず一つのシャワーヘッドであっても、体臭抑制効果を求める人は体臭抑制効果を有する水でシャワーを浴び、体臭抑制成分が身体に合わない人は切り替えて通常の水でシャワーを浴びることができる。これにより、健康的にシャワーを浴びることが可能になる。
【０００７】
また、本発明者は、特許文献１の段落［００６４］から段落［００９６］に記載の通り、体臭抑制成分はスプレーとして身体全体に吹き付けるだけで体臭抑制効果が出るため、シャワーヘッド及びシャワー装置に体臭抑制効果を有する水を常に活用すると、必要以上に体臭抑制成分を消費することになり、コストが非常にかかるという新たな課題を発見した。本発明者は、その課題を解決するために鋭意研鑽した結果、体臭抑制成分を含む体臭抑制効果を有する水と体臭抑制成分を含まない通常の水とを切り替えて使用可能なシャワーヘッドとすることを見出した。こうすることで、例えば、最初は体臭抑制成分を含まない通常の水でシャワーを浴び、最後（例えば風呂上り直前）に体臭抑制成分を含む水に切り替えて体臭抑制成分を有する水でシャワーを浴びることにより、体臭抑制効果はそのままに体臭抑制成分の消費量を抑制することができ、ひいてはコスト削減が可能になる。
【０００８】
本開示は、かかる知見に基づくものであり、前記課題を解決するために、次のシャワーヘッド及びシャワー装置を提供する。
【０００９】
（１）シャワーヘッド
本開示に係るシャワーヘッドは、給水管に接続して使用するシャワーヘッドであって、水が通過することで水中に体臭抑制成分を一定量含有させるための体臭抑制成分含有部と、シャワー吐出部と、前記シャワー吐出部から吐水する水を、前記体臭抑制成分含有部を通過した水と前記体臭抑制成分含有部を通過していない水とに切り替えるための成分有無切替部とを有することを特徴とする。
【００１０】
（２）シャワー装置
本開示に係るシャワー装置は、給水管に接続して使用するシャワーヘッドを備えたシャワー装置であって、水が通過することで水中に体臭抑制成分を一定量含有させるための体臭抑制成分含有部を備え、前記シャワーヘッドは、シャワー吐出部と、前記シャワー吐出部から吐水する水を、前記体臭抑制成分含有部を通過した水と前記体臭抑制成分含有部を通過していない水とに切り替えるための成分有無切替部とを有し、前記体臭抑制成分含有部が前記シャワーヘッドとは別体とされていることを特徴とする。
【発明の効果】
【００１１】
本開示によると、体臭抑制成分が身体に合わない人が体臭抑制成分を含む水でシャワーを浴びてしまうことを効果的に防止することができると共に、体臭抑制成分の消費量を抑制することが可能となる。
【図面の簡単な説明】
【００１２】
【図１Ａ】実施例１に係るシャワーヘッドの一例における成分有無切替部の第１切替状態を示す概略構成図である。
【図１Ｂ】実施例１に係るシャワーヘッドの一例における成分有無切替部の第２切替状態を示す概略構成図である。
【図２Ａ】実施例２に係るシャワーヘッドの一例における成分有無切替部の第１切替状態を示す概略構成図である。
【図２Ｂ】実施例２に係るシャワーヘッドの一例における成分有無切替部の第２切替状態を示す概略構成図である。
【図２Ｃ】シャワー吐出部を正面から見た図である。
【図３Ａ】実施例３に係るシャワー装置の一例の概略構成図であって、実施例１に係るシャワーヘッドに対して体臭抑制成分含有部を別体とした例を示す図である。
【図３Ｂ】実施例３に係るシャワー装置の他の例の概略構成図であって、実施例２に係るシャワーヘッドに対して体臭抑制成分含有部を別体とした例を示す図である。
【発明を実施するための形態】
【００１３】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１４】
（実施例１）
先ず、実施例１に係るシャワーヘッド１について図１Ａ及び図１Ｂを参照しながら以下に説明する。図１Ａ及び図１Ｂは、それぞれ、実施例１に係るシャワーヘッド１の一例における成分有無切替部４の第１切替状態及び第２切替状態を示す概略構成図である。
【００１５】
＜シャワーヘッドの説明＞
実施例１に係るシャワーヘッド１は、給水管１０に接続して使用する。シャワーヘッド１は、体臭抑制成分含有部２と、シャワー吐出部３と、成分有無切替部４とを有する。体臭抑制成分含有部２は、水Ｗが通過することで水中に体臭抑制成分を一定量含有（溶解又は生成）させるためのものである。シャワー吐出部３は、スプレー状の吐水を行うためのものである。成分有無切替部４は、シャワー吐出部３から吐水する水Ｗを、体臭抑制成分含有部２を通過した水Ｗ（Ｗ１）と、体臭抑制成分含有部２を通過していない水Ｗ（Ｗ２）とに切り替えるためのものである。すなわち、成分有無切替部４は、第１切替状態（図１Ａ参照）と第２切替状態（図１Ｂ参照）とをとり得る構成とされている。第１切替状態では、給水管１０から体臭抑制成分含有部２を通過した水Ｗ（Ｗ１）をシャワー吐出部３から吐水する。第２切替状態では、給水管１０から体臭抑制成分含有部２を通過していない水Ｗ（Ｗ２）をシャワー吐出部３から吐水する。
【００１６】
この例では、成分有無切替部４は、本体部４１と、作動部４２とを備えている。作動部４２は、本体部４１の流路に対して交差（直交）する切替方向Ｘに往復移動自在に本体部４１に支持されている。本体部４１には、第１流入路４１ａ及び第２流入路４１ｂと、第１流出路４１ｃ及び第２流出路４１ｄとが設けられている。作動部４２には、連通路４２ａが設けられている。
【００１７】
シャワーヘッド１は、第１流路５１から第７流路５７と、分岐部材５８と、合流部材５９とを備えている。分岐部材５８の流入口は、第１流路５１を介して給水管１０に接続されている。分岐部材５８の一方の流出口は、第２流路５２を介して体臭抑制成分含有部２の流入口に接続されている。体臭抑制成分含有部２の流出口は、第３流路５３を介して成分有無切替部４の第１流入路４１ａに接続されている。分岐部材５８の他方の流出口は、第４流路５４を介して成分有無切替部４の第２流入路４１ｂに接続されている。成分有無切替部４の第１流出路４１ｃは、第５流路５５を介して合流部材５９の一方の流入口に接続されている。成分有無切替部４の第２流出路４１ｄは、第６流路５６を介して合流部材５９の他方の流入口に接続されている。合流部材５９の流出口は、第７流路５７を介してシャワー吐出部３の流入口に接続されている。なお、体臭抑制成分含有部２は、水Ｗの流れ方向において成分有無切替部４よりも下流側かつ合流部材５９よりも上流側（具体的には第５流路５５）に設けられていても良い。
【００１８】
成分有無切替部４は、作動部４２が切替方向Ｘの一方側Ｘ１に移動すると（図１Ａ参照）、連通路４２ａが第１流入路４１ａ及び第１流出路４１ｃと連通して第１切替状態になる。また、成分有無切替部４は、作動部４２が切替方向Ｘの他方側Ｘ２に移動すると（図１Ｂ参照）、連通路４２ａが第２流入路４１ｂ及び第２流出路４１ｄと連通して第２切替状態になる。
【００１９】
以上説明したシャワーヘッド１では、成分有無切替部４は、シャワー吐出部３から散水する水Ｗを、体臭抑制成分含有部２を通過した体臭抑制効果を有する水Ｗ（Ｗ１）とするか、又は、体臭抑制成分含有部２を通過しなかった通常の水Ｗ（Ｗ２）とするかに切り替える。すなわち、体臭抑制成分含有部２を通過した体臭抑制効果を有する水Ｗ（Ｗ１）と、体臭抑制成分含有部２を通過しなかった通常の水Ｗ（Ｗ２）とのうち、どちらか一方の水Ｗをシャワー吐出部３から散水させる。成分有無切替部４の構成は、上記目的を達成可能であれば特に限定されるものではない。例えば、図１Ａ及び図１Ｂに示す例では、成分有無切替部４は、流路（連通路４２ａ）が１つだけ形成された部材（作動部４２）が切替方向Ｘ（左右方向）に往復移動する切替機構になっている。成分有無切替部４を図１Ｂに示す第２切替状態から切替方向Ｘにおける一方側Ｘ１（右側）に移動させる。そうすると、体臭抑制成分含有部２に接続された第３流路５３と合流部材５９に接続された第５流路５５とが繋がって図１Ａに示す第１切替状態となる。こうすることで、体臭抑制成分含有部２を通過した体臭抑制効果を有する水Ｗ（Ｗ１）がシャワー吐出部３に供給される。これにより、体臭抑制成分含有部２を通過する水Ｗに体臭抑制成分を一定量含有（具体的には溶解又は生成）させることができる。従って、体臭抑制成分含有部２を通過した水は体臭抑制効果を有する水Ｗ（Ｗ１）となる。一方、成分有無切替部４を図１Ａに示す第１切替状態から切替方向Ｘにおける他方側Ｘ２（左側）に移動させる。そうすると、分岐部材５８に接続された第４流路５４と合流部材５９に接続された第６流路５６とが繋がって図１Ｂに示す第２切替状態となる。こうすることで、体臭抑制成分含有部２を通過しなかった通常の水Ｗ（２）がシャワー吐出部３に供給される。なお、成分有無切替部４の切替機構は、勿論、既に市販されている複数の吐水形状を得ることができるような切替式（回転式）の切替機構を採用しても良い。
【００２０】
実施例１に係るシャワーヘッド１によれば、体臭抑制成分含有部２を通過して体臭抑制成分を含有した水Ｗ（Ｗ１）と体臭抑制成分含有部２を通過しておらず体臭抑制成分を含有していない水Ｗ（Ｗ２）とを成分有無切替部４により容易に切り替えることができる。例えば、体臭抑制成分が身体に合わない人が使用する場合は簡便に体臭抑制成分を含まない水Ｗ（Ｗ２）（通常水）に切り替えることができる。これにより、体臭抑制成分が身体に合わない人が体臭抑制成分を含有した水Ｗ（Ｗ１）を浴びてしまうことを効果的に防止することができる。しかも、体臭抑制成分を含有した水Ｗ（Ｗ１）を必要量だけ浴びることができる。従って、体臭抑制成分の消費量を抑制することができる。例えば、最初は体臭抑制成分を含有していない水Ｗ（Ｗ２）でシャワーを浴び、風呂上り直前に体臭抑制成分を含有した水Ｗ（Ｗ１）でシャワーを浴びることができる。これにより、体臭抑制効果はそのままにコストを削減させることが可能になる。
【００２１】
体臭抑制成分としては、体臭を抑制する機能を有する物質であれば特に限定されるものではないが、例えば、前記した特許文献１に開示されている体臭抑制用組成物等を使用することができる。すなわち、ノネナール及び／又はオクテナール等の不飽和アルデヒドを生成する酸化伝搬等の酸化過程を遮断することができる材料を例示できる。具体的には、ジブチルヒドロキシトルエン（ＢＨＴ）やチオタウリン（ＴＨＴ）、フラボノイド等を例示できる。但し、生薬抽出物であることが好ましく、この場合、体臭抑制成分は、比較的安全であるという効果を有する。生薬抽出物としては、例えば、キュレン抽出物やウーロン茶抽出物、甜茶抽出物、緑茶抽出物、渋柿エキス等を挙げることができる。
【００２２】
体臭抑制成分含有部２では、そこを通過する水Ｗに対して体臭抑制成分が一定量含有（溶解又は生成）するような機構を有する。例えば、体臭抑制成分として粉末状の材料を用いる場合は、多孔質体中に体臭抑制成分を担持させ、その多孔質体を水Ｗが通過する際に一定量溶解するような機構にしても良い。この場合、広く利用されている多孔質体を利用することができる。これにより、汎用性を高めることができる。また、体臭抑制成分として粉末状又は液状の材料を用いる場合は、水流が生み出す圧力差等を利用して、体臭抑制成分含有部２の中にストックされた体臭抑制成分が水流の速度及び／又は水量に応じて一定量溶解するような機構にしても良い。この場合、体臭抑制成分として粉末状の材料又は液状の材料を用いることができる。従って、シャワーヘッド１は、体臭抑制成分の選択の自由度を向上させることができるという効果を有する。
【００２３】
体臭抑制成分含有部２は、カートリッジ形状に形成され、着脱可能であることが好ましい。この場合、シャワーの利用に伴い体臭抑制成分が減少した際に、カートリッジ形状の体臭抑制成分含有部２を交換するだけで体臭抑制成分の補充が可能となる。従って、シャワーヘッド１は、ユーザーの利便性を向上させることができるという効果を有する。
【００２４】
また、体臭抑制成分含有部２は、そこを通過する水に含有する体臭抑制成分の量を調節できる機構を有していても良い。例えば、体臭抑制成分含有部２の中に、体臭抑制成分が溶解する流路と溶解しない流路を作製し、その両流路に流れる水量の比率を自由に制御できるような機構を設けることができる。これにより、体臭の強さにより自身で体臭抑制成分濃度を変えることが可能となり、使用する各人により、体臭抑制成分濃度の増大に伴い増加する体臭抑制効果と体臭抑制成分の減少に伴い増加するコスト削減効果との最適化を実現させることが可能となる。
【００２５】
シャワー吐出部３では、給水管１０から供給されて体臭抑制成分含有部２を通過した水Ｗ（Ｗ１）、又は、給水管１０から供給されて体臭抑制成分含有部２を通過しなかった水Ｗ（Ｗ２）をスプレー状に散水する。シャワー吐出部３の構成は、水Ｗをスプレー状に散水することができるものであれば、特に限定されるものではなく、例えば、多数の散水孔が形成された樹脂や金属板等の水吐出部材を用いることができる。
【００２６】
（実施例２）
次に、実施例２に係るシャワーヘッド１について図２Ａ及び図２Ｂを参照しながら以下に説明する。図２Ａ及び図２Ｂは、それぞれ、実施例２に係るシャワーヘッド１の一例における成分有無切替部４の第１切替状態及び第２切替状態を示す概略構成図である。また、図２Ｃは、シャワー吐出部３を正面から見た図である。なお、実施例１と異なる部分についてのみ説明する。
【００２７】
実施例２に係るシャワーヘッド１は、実施例１に係るシャワーヘッド１において第７流路５７及び合流部材５９を除去し、シャワー吐出部３が第１シャワー吐出部３ａと第２シャワー吐出部３ｂとに分かれ、第５流路５５が第１シャワー吐出部３ａに接続され、第６流路５６が第２シャワー吐出部３ｂに接続されている点で異なる。
【００２８】
実施例２では、シャワーヘッド１は、シャワー吐出部３が体臭抑制成分を有する水Ｗ（Ｗ１）の流路（第５流路５５）に接続される第１シャワー吐出部３ａと体臭抑制成分を有さない通常の水Ｗ（Ｗ２）の流路（第６流路５６）に接続される第２シャワー吐出部３ｂとに分かれている。実施例２では、体臭抑制成分を有する体臭抑制効果のある水Ｗ（Ｗ１）は、第１シャワー吐出部３ａから散水され、体臭抑制成分を有さない通常の水Ｗ（Ｗ２）は、第２シャワー吐出部３ｂから散水される。すなわち、シャワー吐出部３を２種類の水Ｗ（Ｗ１，Ｗ２）で共有せずに使用可能となる。これにより、実施例１の場合には、体臭抑制成分を有する水Ｗ（Ｗ１）から体臭抑制成分を有さない通常の水Ｗ（Ｗ２）に切り替えて使用した場合でも第７流路５７及びシャワー吐出部３に体臭抑制成分が残存する可能性が少なからずある。しかし、本実施例２の場合は、シャワー吐出部３が体臭抑制成分を有する水Ｗ（Ｗ１）の流路（第５流路５５）と体臭抑制成分を有さない通常の水Ｗ（Ｗ２）の流路（第６流路５６）とで別々になっている。このため、体臭抑制成分を有さない通常の水Ｗ（Ｗ２）の流路（第６流路５６）を使用する時は体臭抑制成分がシャワー吐出部３に残存する可能性がない。従って、シャワーヘッド１は、体臭抑制成分が身体に合わない人はより健康的にシャワーを浴びることが可能になるという効果を奏する。
【００２９】
また、体臭抑制成分を有する体臭抑制効果のある水Ｗ（Ｗ１）と体臭抑制成分を有さない通常の水Ｗ（Ｗ２）とでシャワー吐出部３から散水される水Ｗ（Ｗ１，Ｗ２）の形状を変えることが可能となる。従って、体臭抑制成分を有する体臭抑制効果のある水Ｗ（Ｗ１）が散水される第１シャワー吐出部３ａは体臭抑制効果が最適となる水の形状にすることができる。一方、体臭抑制成分を有さない通常の水Ｗ（Ｗ２）が散水される第２シャワー吐出部３ｂはマッサージ機能を有するような水の形状にすることができる。従って、体臭抑制成分を有する体臭抑制効果のある水Ｗ（Ｗ１）と体臭抑制成分を有さない通常の水Ｗ（Ｗ２）とを互いに異なる形状にすることができる。従って、シャワーヘッド１は、ユーザーの利便性を向上させることができるという効果を奏する。
【００３０】
なお、この例では、体臭抑制成分を有する体臭抑制効果のある水Ｗ（Ｗ１）をシャワー吐出部３の外周領域から吐出し、体臭抑制成分を有さない通常の水Ｗ（Ｗ２）をシャワー吐出部３の中心領域から吐出するようにしたが、それに限定されるものではなく、水Ｗ（Ｗ１）をシャワー吐出部３の中心領域から吐出し、水Ｗ（Ｗ２）をシャワー吐出部３の外周領域から吐出するようにしてもよい。また、シャワー吐出部３を半分に分割し、一方の半円部から水Ｗ（Ｗ１）を吐出し、他方の半円部から水Ｗ（Ｗ２）を吐出するようにしてもよい。
【００３１】
ここで、実施例１に記載のようにシャワー吐出部３を２種類の水で共有するような構成にした場合は、本実施例２のように複数のシャワー吐出部が必要でなく１つのシャワー吐出部で良いため、コストパフォーマンスに優れるという効果を奏する。
【００３２】
（実施例３）
体臭抑制成分含有部２は、シャワーヘッド１の内部にある必要はない。すなわち、体臭抑制成分含有部２だけシャワーヘッド１とは別体として準備されても良い。図３Ａ及び図３Ｂは、それぞれ、実施例３に係るシャワー装置１００の一例及び他の例の概略構成図である。図３Ａは、実施例１に係るシャワーヘッド１に対して体臭抑制成分含有部２を別体とした例を示している。図３Ｂは、実施例２に係るシャワーヘッド１に対して体臭抑制成分含有部２を別体とした例を示している。
【００３３】
シャワー装置１００は、シャワーヘッド１と体臭抑制成分含有部２を備えている。シャワーヘッド１は、体臭抑制成分含有部２がシャワーヘッド１とは別体とされている。こうすることで、体臭抑制成分含有部２のサイズを大きくすることが可能となる。従って、体臭抑制成分を大量にストックすることができる。これにより、体臭抑制成分の一括購入によりコストパフォーマンスに優れ、体臭抑制成分の補充の頻度を減らすことができと共にユーザーの利便性を高めることができる。
【００３４】
シャワー装置１００は、例えば、浴室の床に設置される状態で体臭抑制成分含有部２があり、シャワーヘッド１と体臭抑制成分含有部２とを給水管１０（ホース等）で繋ぐ構成としても良い。この例では、第２流路５２及び第３流路５３は、給水管１０内に設けられている。
【００３５】
一方、実施例１及び実施例２のように、体臭抑制成分含有部２がシャワーヘッド１の内部にある場合は、実施例３のように、体臭抑制成分含有部２をシャワーヘッド１とは別体とした場合と比較して省スペースとなる。これにより、比較的狭い浴室等の使用場所にも設置可能となる。従って、使用場所のサイズの問題で利用ができなかったユーザーでも利用することが可能となる。
【００３６】
（その他の実施例）
実施例１及び実施例２に係るシャワーヘッド１並びに実施例３に係るシャワー装置１００は、人用のシャワーヘッド及び人用のシャワー装置として説明したが、人に限定されるものではく、ペットに対しても適用することができる。
【００３７】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００３８】
１      シャワーヘッド
１０    給水管
１００  シャワー装置
２      体臭抑制成分含有部
３      シャワー吐出部
３ａ    第１シャワー吐出部
３ｂ    第２シャワー吐出部
４      成分有無切替部
４１    本体部
４１ａ  第１流入路
４１ｂ  第２流入路
４１ｃ  第１流出路
４１ｄ  第２流出路
４２    作動部
４２ａ  連通路
５１    第１流路
５２    第２流路
５３    第３流路
５４    第４流路
５５    第５流路
５６    第６流路
５７    第７流路
５８    分岐部材
５９    合流部材
Ｗ      水
Ｗ１    体臭抑制成分含有部を通過した水
Ｗ２    体臭抑制成分含有部を通過していない水
Ｘ      切替方向
Ｘ１    一方側
Ｘ２    他方側
【図１Ａ】
2019146941.tif 000003
【図１Ｂ】
2019146941.tif 000004
【図２Ａ】
2019146941.tif 000005
【図２Ｂ】
2019146941.tif 000006
【図２Ｃ】
2019146941.tif 000007
【図３Ａ】
2019146941.tif 000008
【図３Ｂ】
2019146941.tif 000009